(57)【要約】      （修正有）【課題】雨水管通信線の耐久性能を向上させる雨水管通信線を保護するカバーを提供する。【解決手段】情報機器１がある建築物の部屋の壁穴２から出た通信線３が、トユ４内に配線され、雨水管を通り雨水排水管出口５から出る。その後支線ターミナル６へとまとめられ本ケーブルへと導通結線されている。その通信配線をカバー７で覆い保護する。保護カバーは全部でも一部でもよい。【選択図】図１
0003229961.tif 000002
【実用新案登録請求の範囲】
【請求項１】
（特許第３５７４８９５号の）雨水管通信線を保護するためのカバー
【考案の詳細な説明】
【技術分野】
【０００１】特許第３５７４８９５号を保護
【背景技術】
【０００２】特許第３５７４８９５号の保護
【先行技術文献】
【特許文献】
【０００３】
【特許文献１】特許第３５７４８９５号
【考案の概要】
【考案が解決しようとする課題】  雨水管通信線の耐久力アップ。
【課題を解決するための手段】  雨水管通信線をカバーして保護する。  なおこのカバーは、ビニール、樹脂、金属、紙等々、配線の保護ができるものであれば材質は問はない。一部分をカバーすることも同じである。
【考案の効果】  雨水管通信線の耐久力が増す。
【図面の簡単な説明】  特許第３５７４８９５号に示された雨水管通信線の全部または一部を覆う。
【図Ａ】
【図Ａ】
0003229961.tif 000003
【手続補正書】
【提出日】令和2年5月23日(2020.5.23)
【手続補正１】
【補正対象書類名】実用新案登録請求の範囲
【補正対象項目名】全文
【補正方法】変更
【補正の内容】
【実用新案登録請求の範囲】
【請求項１】
家庭、アパート、マンション、オフィス等のパソコン、テレビなどの情報機器から、その建物の部屋の壁穴などから、その建物に付属するトユの、任意の位置に開けられた穴から、トユ内に挿入され、トユにつづく雨水排水管内を通り、道路側排水管出口から支線ターミナル、本ケーブルへと導通結線された雨水管通信線を保護するカバー。
【手続補正２】
【補正対象書類名】明細書
【補正対象項目名】全文
【補正方法】変更
【補正の内容】
【考案の詳細な説明】
【技術分野】
【０００１】    この考案は、建物やその敷地に付属する雨水排水管を通信ケーブルの引き込み配線通路としている引き込み配線を、カバーで覆い補護補強する考案である。
【背景技術】
【０００２】  新型コロナウイルスの出現もあり、テレワーク、オンライン授業、非接触非対面事業などの情報通信網の重要性が益々高まった。
保護カバーは、インターネットなどの引き込み配線である雨水管通信線敷設後の、光ファイバー等の通信ケーブルの耐久力をアップし配線を保護するものである。
【先行技術文献】
【０００３】    特許第３５７４８９５号は、――
家庭、アパート、マンション、オフィスビルの、建物に付属する縦トユの、任意の位置に適度の穴を開け、先端に開き羽根を付けた断線しない細い線を前記穴内部に挿入し、前記縦トユに上部から水を流し込みながら、前記縦トユ内に挿入した前記細い線を前記縦トユにつづく排水管内を道路側雨水排水管出口まで導通し、順に線を換え太くしてゆき、所定の通信ケーブルになったら、支線ターミナルへ接続し、本ケーブルに結線し、またもう一方のケーブル端は、壁穴を開けて部屋へ差し入れ、家庭やオフィスのパソコン、テレビなどの情報機器につなぎ結線することにより、建物やその敷地に付属する雨水排水管の持つ、道路側排水管出口まですでに通管した機能を利用する、通信引込み線敷設法。
――であるが、その、家庭、オフィス等の情報機器を雨水管の持つ通管機能を用いて、インターネットなど情報通信網に接続するのが雨水管通信線配線方法である。
【考案の概要】
【０００４】    建築物の雨水排水管は、必ず道路側排水管出口までの通管機能を持っている。  その建築物の部屋の壁穴などから、パソコン、テレビなどの情報機器からの配線を出し、その建物に付属するトユの持つ道路側排水管出口までの配管機能を使い情報通信網に接続するのが特許第３５７４８９５号であるが、その接属配線を覆うことにより耐久力をアップさせるためのカバーが本考案である。
【考案の課題と解決手段】
【０００５】  各戸、オフィスなどから支線ターミナルへの通信線量が増加すると、問題が出てくるため、各々の雨水管通信線をカバーして保護する。  なおこのカバーは、ビニール、樹脂、金属、紙等々、配線の保護ができるものであれば材質は問はない。
【考案の効果】
【０００６】  考案の実施により、雨水管通信線の耐久力がぐんと増す。
【図面の簡単な説明】
【０００７】
【図１】  情報機器１がある建築物の部屋の壁穴２から出た通信線３が、トユ４内に配線され、雨水管を通り雨水排水管出口５から出る。  その後支線ターミナル６へとまとめられ本ケーブルへと導通結線されている。  その通信配線をカバー７で覆い保護する。  保護カバーは全部でも一部でもよい。
【符号の説明】
【０００８】  ［図１］．
１    情報機器
２    壁穴
３    通信線
４    トユ
５    雨水排水管出口
６    支線ターミナル
７    カバー
【手続補正３】
【補正対象書類名】図面
【補正対象項目名】全図
【補正方法】変更
【補正の内容】
【図１】
0003229961.tif 000004
【手続補正書】
【提出日】令和2年9月27日(2020.9.27)
【手続補正１】
【補正対象書類名】実用新案登録請求の範囲
【補正対象項目名】全文
【補正方法】変更
【補正の内容】
【実用新案登録請求の範囲】
【請求項１】
パソコン、テレビ、情報機器から、家庭、アパート、マンション、オフィス等のその建物の部屋の壁穴などから、その建物に付属するトユの、任意の位置に開けられた穴から、トユ内に挿入され、トユにつづく雨水排水管内を通り、道路側排水管出口から支線ターミナル、本ケーブルへと導通結線された雨水管通信線を保護するカバー。
【手続補正２】
【補正対象書類名】明細書
【補正対象項目名】全文
【補正方法】変更
【補正の内容】
【考案の詳細な説明】
【技術分野】
【０００１】    この考案は、建物やその敷地に付属する雨水排水管を通信ケーブルの引き込み配線通路としている引き込み配線を、カバーで覆い補護補強する考案である。
【背景技術】
【０００２】  新型コロナウイルスの出現もあり、テレワーク、オンライン授業、非接触非対面事業などの情報通信網の重要性が益々高まった。
保護カバーは、インターネットなどの引き込み配線である雨水管通信線敷設後の、光ファイバー等の通信ケーブルの耐久力をアップし配線を保護するものである。
【先行技術文献】
【０００３】  特許第３５７４８９５号は、――
家庭、アパート、マンション、オフィスビルの、建物に付属する縦トユの、任意の位置に適度の穴を開け、先端に開き羽根を付けた断線しない細い線を前記穴内部に挿入し、前記縦トユに上部から水を流し込みながら、前記縦トユ内に挿入した前記細い線を前記縦トユにつづく排水管内を道路側雨水排水管出口まで導通し、順に線を換え太くしてゆき、所定の通信ケーブルになったら、支線ターミナルへ接続し、本ケーブルに結線し、またもう一方のケーブル端は、壁穴を開けて部屋へ差し入れ、家庭やオフィスのパソコン、テレビなどの情報機器につなぎ結線することにより、建物やその敷地に付属する雨水排水管の持つ、道路側排水管出口まですでに通管した機能を利用する、通信引込み線敷設法。
――であるが、その、家庭、オフィス等の情報機器を雨水管の持つ通管機能を用いて、インターネットなど情報通信網に接続するのが雨水管通信線配線方法である。
【考案の概要】
【０００４】    建築物の雨水排水管は、必ず道路側排水管出口までの通管機能を持っている。  その建築物の部屋の壁穴などから、パソコン、テレビなどの情報機器からの配線を出し、その建物に付属するトユの持つ道路側排水管出口までの配管機能を使い情報通信網に接続するのが特許第３５７４８９５号であるが、その接属配線を覆うことにより耐久力をアップさせるためのカバーが本考案である。
情報機器は、インターネットに代表される遠隔地を結ぶための涌信機器であるが、本考案はトユ内を通る配線の耐久力アップのカバーであり、通信機器の特定を考案としたものではない。
【考案の課題と解決手段】
【０００５】  各戸、オフィスなどから支線ターミナルへの通信線量が増加すると、問題が出てくるため、各々の雨水管通信線をカバーして保護する。  なおこのカバーは、ビニール、樹脂、金属、紙等々、配線の保護ができるものであれば材質は問はない。
【考案の効果】
【０００６】  考案の実施により、雨水管通信線の耐久力がぐんと増す。
【図面の簡単な説明】
【０００７】
【図１】  情報機器１がある建築物の部屋の壁穴２から出た通信線３が、トユ４内に配線され、雨水管を通り雨水排水管出口５から出る。  その後支線ターミナル６へとまとめられ本ケーブルへと導通結線されている。  その通信配線をカバー７で覆い保護する。  保護カバーは全部でも一部でもよい。
【符号の説明】
【０００８】  ［図１］．
１    情報機器
２    壁穴
３    通信線
４    トユ
５    雨水排水管出口
６    支線ターミナル
７    カバー